(57)【要約】【課題】  刈取機構を備えた走行機体１に、刈り取った芝草を受け入れるキャッチャボックス１４を、受け入れ姿勢と、受け入れた芝草の放出姿勢とに回動するように設け、このキャッチャボックスを、前記走行機体側に設けた操作レバー１６にて、受け入れ姿勢と放出姿勢とに姿勢変換するように構成して成る走行型芝刈機において、前記した姿勢変換が、前記キャッチャボックスが重い場合に軽い操作力にてできるようにする。【解決手段】  前記操作レバーにおける単位操作量に対する前記キャッチャボックスの回動角度を、前記キャッチャボックス内に芝草が入っていない状態か少ない状態のときにおいて大きくし、前記キャッチャボックス内に芝草が多く入っている状態のときにおいて小さくするようにした切り換える。【選択図】                      図３
2005218381.tif 000002
【特許請求の範囲】
【請求項１】
刈取機構を装着した走行機体に、前記刈取機構にて刈り取った芝草を受け入れるためのキャッチャボックスを、芝草を受け入れる姿勢と、受け入れた芝草を放出する姿勢とに回動するように設け、このキャッチャボックスを、前記走行機体側に設けた手動操作手段に、当該手動操作手段によって受け入れ姿勢と放出姿勢とに姿勢変換するように連動機構を介して連結して成る走行型芝刈機において、
前記連動機構に、前記手動操作手段における単位操作量に対する前記キャッチャボックスの回動角度を、前記キャッチャボックス内に芝草が入っていない状態か少ない状態のときにおいて大きくし、前記キャッチャボックス内に芝草が多く入っている状態のときにおいて小さくするようにした切り換え手段を設けたことを特徴とする走行型芝刈機における芝草のキャッチャー装置。
【請求項２】
前記請求項１の記載において、前記連動手段に、前記キャッチャボックスを回動するアームリンクを備え、前記切り換え手段が、前記アームリンクに対して前記手動操作手段における操作力を作用する力点を、前記キャッチャボックス内に芝草が入っていない状態か少ない状態のときにおいて当該アームリンクにおける回転中心に近づけるように移動する一方、前記キャッチャボックス内に芝草が多く入っている状態のときにおいて当該アームリンクにおける回転中心から遠ざけるように移動する構成であることを特徴とする走行型芝刈機における芝草のキャッチャー装置。
【発明の詳細な説明】
【技術分野】
【０００１】
本発明は、走行機体を走行しながらこれに装着したロータリーモア等の刈取機構にて芝刈りを行うようにした走行型の芝刈機において、前記刈取機構にて刈り取った芝草を受け入れるためのキャッチャー装置に関するものである。
【背景技術】
【０００２】
先行技術としての特許文献１には、刈取機構を装着した走行機体に、前記刈取機構にて刈り取った芝草を受け入れるためのキャッチャボックスを、芝草を受け入れる姿勢と、受け入れた芝草を放出する姿勢とに回動するように設けることが記載されている。
【特許文献１】特開２０００−５０７１６号公報
【発明の開示】
【発明が解決しようとする課題】
【０００３】
しかし、この先行技術におけるキャッチャー装置は、そのキャッチャボックスを受け入れ姿勢と放出姿勢とに姿勢変換することを、油圧シリンダによって行うように構成しているから、油圧ポンプ、油圧管路及び油圧切り換え機構を必要として、構造が著しく複雑化するばかりか、重量の大幅な増大を招来するのであり、しかも、前記キャッチャボックスが空のときにおける姿勢変換を迅速に行うことができないという問題がある。
【０００４】
また、前記キャッチャボックスの姿勢変換を、走行機体の上からの手動操作によって行うように構成する場合において、前記キャッチャボックスが空の状態のときに軽い操作力にて迅速に姿勢変換ができるように構成することは、前記キャッチャボックスに芝草が詰まっている状態での姿勢変換が著しく重くなるから操作困難を招来することになり、逆に、前記キャッチャボックスに芝草が詰まっている状態での姿勢変換を軽い操作力で行うことができるように構成することは、前記キャッチャボックスが空の状態のときにおいて操作力が著しく軽くなることで姿勢変換が急激に行われることになるから姿勢変換による衝撃が増大することになる。
【０００５】
本発明は、前記キャッチャボックスの姿勢変換を走行機体の上からの手動操作によって行う場合における前記した問題を解消することを技術的課題とするものである。
【課題を解決するための手段】
【０００６】
この技術的課題を達成するため本発明の請求項１は、
「刈取機構を装着した走行機体に、前記刈取機構にて刈り取った芝草を受け入れるためのキャッチャボックスを、芝草を受け入れる姿勢と、受け入れた芝草を放出する姿勢とに回動するように設け、このキャッチャボックスを、前記走行機体側に設けた手動操作手段に、当該手動操作手段によって受け入れ姿勢と放出姿勢とに姿勢変換するように連動機構を介して連結して成る走行型芝刈機において、
前記連動機構に、前記手動操作手段における単位操作量に対する前記キャッチャボックスの回動角度を、前記キャッチャボックス内に芝草が入っていない状態か少ない状態のときにおいて大きくし、前記キャッチャボックス内に芝草が多く入っている状態のときにおいて小さくするようにした切り換え手段を設ける。」
ことを特徴としている。
【０００７】
また、本発明の請求項２は、
「前記請求項１の記載において、前記連動手段に、前記キャッチャボックスを回動するアームリンクを備え、前記切り換え手段が、前記アームリンクに対して前記手動操作手段における操作力が作用する力点を、前記キャッチャボックス内に芝草が入っていない状態か少ない状態のときにおいて当該アームリンクにおける回転中心に近づけるように移動する一方、前記キャッチャボックス内に芝草が多く入っている状態のときにおいて当該アームリンクにおける回転中心から遠ざけるように移動する構成である。」
ことを特徴としている。
【発明の効果】
【０００８】
本発明の請求項１は、前記したように、キャッチャボックスを手動操作手段によって受け入れ姿勢と放出姿勢とに姿勢変換する場合に、前記手動操作手段における単位操作量に対する前記キャッチャボックスの回動角度を、切り換え手段にて、前記キャッチャボックス内に芝草が入っていない状態か少ない状態のときにおいて大きくし、前記キャッチャボックス内に芝草が多く入っている状態のときにおいて小さくするものであり、これにより、前記キャッチャボックスを、芝草が多く入っている状態のときにおいて、軽い操作力で姿勢変換することができる一方、これが空であるか空に近い状態ときにおいては、これに応じた軽い操作力で姿勢変化することができ、換言すると、前記キャッチャボックスの姿勢変換を、そのときに当該キャッチャボックスに入っている芝草の有無及び量に応じた軽い操作力で行うことができるから、芝草が多く入っている状態での姿勢変換を軽い操作力にてできるものでありながら、空であるか空に近い状態での姿勢変換における衝撃を低減できる。
【０００９】
また、請求項２の記載によると、前記切り換え手段の構成が簡単になり、小型・軽量化できる利点がある。
【発明を実施するための最良の形態】
【００１０】
以下、本発明の実施の形態を、図１〜図９の図面について説明する。
【００１１】
この図において、符号１は、前後方向に延びる左右一対の車体フレーム１ａにて構成した走行機体を示し、この走行機体１は、左右一対の前車輪２と、同じく左右一対の後車輪３とで支持され、且つ、この走行機体１の前部上面には、エンジン４が搭載されているとともに、前記両前車輪２を同時に回動するように舵取りするための操縦ハンドル５が設けられ、また、前記走行機体１の後部上面には、作業者が座る操縦座席６が設けられている。更にまた、前記走行機体１の上面には、前記両後車輪３の上部を覆うフェンダー７ａと、前記操縦座席の前側の部分にステップ台７ｂとを備えたフロントカウル７が、走行機体１の全体を覆うように設けられ、このフロントカウル７には、前記エンジン４に対するボンネットカバー８が開閉可能に設けられている。
【００１２】
前記両後車輪３は、前記走行機体１における両車体フレーム１ａの外側面に上下方向に延びるように固着したブラケット９の下端に装着されている。
【００１３】
前記走行機体１における下面側で、且つ、前記両前車輪２と両後車輪３との間には、刈取機構としてのロータリーモア１０が、左右一対の前部リンク１１と、後部リンク１２とにより上下動可能に装着され、且つ、前記操縦座席６の右側に配設した昇降操作レバー（図示せず）の回動によって、上下動するように構成されている。
【００１４】
一方、前記走行機体１における両車体フレーム１ａの後部を、後方に向かって斜め上向きに傾斜するように折り曲げて、この下面のうち前記両後車輪３間、正確には、後車輪３が取付く左右一対のブラケット９間の部分に、前記ロータリーモア１０にて刈り取った芝草を後ろ方向に導くようにした排出ダクト１３が、後方に延びるように配設されている。
【００１５】
また、前記走行機体１における車体フレーム１ａのうち前記排出ダクト２８の上部で、且つ、前記操縦座席６の下部の部位には、図示していないが、前記エンジン４の回転を適宜変速して前記両後車輪３に伝達するするための走行ミッション機構が設けられている。
【００１６】
前記走行機体１における後部には、前記ロータリーモア１０にて刈り取った芝草を受け入れるためのキャッチャーボックス１４が、以下に述べるような構造にして装着されている。
【００１７】
すなわち、前記両車体フレーム１ａの後端部１ａ′を、前記キャッチャーボックス１４内に、その前端における受け入れ口１４ａ内から突出して、この後端部１ａ′に前記走行機体１における走行方向に対して直角方向に延びるように回転自在に軸支した支持軸１５の両端を、前記キャッチャーボックス１４における上面のうち前面に近い部分に固着することにより前記キャッチャーボックス１４を、前記支持軸１５を中心として、図１に実線で示すように、その受け入れ口１４ａが前記排出ダクト１３における後端口に向かう前向きの受け入れ姿勢と、図１に一点鎖線で示すように、その受け入れ口１４ａが斜め下向きになる放出姿勢と、図１に二点鎖線で示すように、その受け入れ口１４ａが下向きになる完全放出姿勢とに自在に回動するように構成し、更に、このキャッチャーボックス１４を、前記操縦座席６の右側に配設した手動操作手段としての操作レバー１６に、後述するリンク機構１７を介して連結することにより、前記操作レバー１６を、図１に実線で示すように、下側の位置にしたとき前記キャッチャーボックス１４が前向きに受け入れ姿勢になり、前記操作レバー１６を、図１に二点鎖線で示すように、上向きに適宜角度θ１だけ回動して上側の位置にしたとき前記キャッチャーボックス１４が斜め下向きの放出姿勢になり、そして、この操作レバー１６を、更に上向きに大きい角度θ２だけ回動したときに下向きの完全放出姿勢になるように構成する。
【００１８】
なお、前記キャッチャーボックス１４の全体は、その受け入れ口１４ａを除いて通気性の布帛又は網にて覆われている。
【００１９】
前記支持軸１５のうち前記キャッチャーボックス１４の側面からの突出端部に、三角形レバー１８を回転自在に装着する一方、前記走行機体１における後部には、前記両車体フレーム１ａの間に、横向きに延びる操作軸１９を回転自在に軸支して、この操作軸１９に、前記手動操作手段としての操作レバー１６を固着し、この操作レバー１６の他端に連結した連杆２０の先端における連結ピン２１を、前記三角形レバー１８に設けた長溝孔２２内に摺動自在に挿入することにより、前記操作レバー１６を、図５に示す下部位置から上向きに小さく角度θ１だけ回動操作したとき、前記三角形レバー１８が、図６に示すように、反時計方向にθ１′だけ回転するように構成する。
【００２０】
一方、前記支持軸１５に、アームリンク２３を固着し、このアームリンク２３に設けた長溝孔２４内に、前記連杆２０の先端における連結ピン２１を摺動自在に挿入することにより、前記操作レバー１６における下から上向きへの回動操作に連動して前記アームリンク２３が反時計方向に回転するようにし、そして、前記アームリンク２３の反時計方向への回転により、前記キャッチャーボックス１４が、前向きの受け入れ姿勢から斜め下向きの放出姿勢に回動するように構成する。
【００２１】
また、前記支持軸１５と、前記車体フレーム１ａの後端部１ａ′との間には、前記キャッチャーボックス１４を前向きの受け入れ姿勢にするときに圧縮変形されて前記キャッチャーボックス１４を下向きの放出姿勢の状態に回動付勢するようにした圧縮ばね２５を設ける。
【００２２】
これに加えて、前記車体フレーム１ａの後端部１ａ′には、前記支持軸１５を迂回するように円弧状に形成した支点越えリンク２６を枢着し、この支点越えリンク２６と、前記キャッチャーボックス１４の前端上部との間に引っ張りばね２７を装架することにより、この引っ張りばね２７によって、前記キャッチャーボックス１４をその前向きの受け入れ姿勢に付勢する。
【００２３】
この場合において、引っ張りばね２７におけるバネ力は、前記キャッチャーボックス１４が前向きの受け入れ姿勢のときには、前記圧縮ばね２５よりも小さく、そして、前記キャッチャーボックス１４が前向きの受け入れ姿勢から斜め下向きの放出姿勢に回動すると支持軸１５を支点越えし、以後は、前記キャッチャーボックス１４を下向きの完全放出姿勢に付勢する。
【００２４】
前記キャッチャーボックス１４における前端下部には、前記排出ダクト１３の後端下部に設けた鉤片２８に対して着脱自在に係合して、前記キャッチャーボックス１４を前向きの受け入れ姿勢にロックするようにした係合リンク２９を回転自在に枢着し、この係合リンク２９と、前記三角形レバー１８の他端との間を、連杆３０を介して連結することにより、図６に示すように、前記操作レバー１６を実線で示す下方位置から最初の小さい操作角度θ１だけ上向きに回動操作したとき、前記三角形レバー１８が反時計方向にθ１′だけ回転して、前記係合リンク２９が走行機体１側における鉤片２８から外れて前記キャッチャーボックス１４に対するロックを解除するとともに、前記操作レバー１６と前記三角形レバー１８及びアームリンク２３とを連結する連杆２０の先端における連結ピン２１が、前記操作レバー１６における長溝孔２２及び前記アームリンク２３における長溝孔２４内をその上端の方向に移動するように構成する。
【００２５】
前記操作レバー１６を最初の小さい操作角度θだけ上向きに回動操作したときにおいて、前記キャッチャーボックス１４が、これに芝草が入っていない空であるか、或いは、これに入っている芝草が少なくて殆ど空に近い状態のとき、前記キャッチャーボックス１４における重心は、図３に符号Ｇで示すように、当該キャッチャーボックス１４の回転中心であるところの支持軸１５の略真下にあるから、前記キャッチャーボックス１４は、前記圧縮ばね２５にて、図７に示すように、自動的に、下向き方向に適宜角度αだけ回転することにより、図１に一点鎖線で示すように、斜め下向きの放出姿勢になる。
【００２６】
前記キャッチャーボックス１４が、前記したように斜め下向きの放出姿勢になることにより、前記連杆２０の先端における作用点であるところの連結ピン２１が、前記アームリンク２３における長溝孔２４内を、支持軸１５に近づくように移動し、前記操作レバー１６における操作力が前記アームリンク２３に対して作用する力点が支持軸１５に近づいて、前記アームリンク２３において、その回転中心であるところの支持軸１５から前記作用力点であるところの前記連結ピン２１までの回転半径がＲ１になるというように小さくなって、前記操作レバー１６における単位操作量に対する前記アームリンク２３の回動角度、ひいては、前記キャッチャボックス１４の回動角度が大きくなる。
【００２７】
これにより、前記キャッチャボックス１４が空又は空に近い状態では、このキャッチャボックス１４を、前記操作レバー１６における単位操作量に対する前記アームリンク２３の回動角度が大きい状態のままで、図８に示すように、前記操作レバー１６における更なる上向き回動操作によって下向きの完全放出姿勢にすることができるし、また、前記操作レバー１６を下向きに回動操作することにより、前記キャッチャボックス１４は、前記操作レバー１６における単位操作量に対する前記アームリンク２３の回動角度が大きい状態のままで、前向きの受け入れ姿勢に戻すことができる。
【００２８】
一方、前記キャッチャボックス１４に芝草が多く入った状態で、前記操作レバー１６を最初の小さい操作角度θ１だけ上向きに回動操作して、前記したロックを解除したときには、前記キャッチャボックス１４における重心は、図３に符号Ｇ′で示すように、支持軸１５よりも後方側に位置していることにより、前記キャッチャボックス１４は、図６に示すように、その重さで前記圧縮ばね２５に抗して前向きの受け入れ姿勢を保持していて、前記連杆２０の先端における作用点であるところの連結ピン２１は、前記アームリンク２３における長溝孔２４内のうち支持軸１５から離れた位置にあり、換言すると、前記操作レバー１６における操作力が前記アームリンク２３に対して作用する力点が支持軸１５から遠い位置にあって、前記アームリンク２３において、その回転中心であるところの支持軸１５から前記作用力点であるところの前記連結ピン２１までの回転半径はＲ２になるというように大きくなっており、従って、前記操作レバー１６における単位操作量に対する前記アームリンク２３の回動角度、ひいては、前記キャッチャボックス１４の回動角度が小さくなっているから、前記キャッチャボックス１４は、前記操作レバー１６による更なる上向きへの操作回動によって、軽い操作力で、図９に示すように、下向きに適宜角度αだけ回転した斜め下向きの放出姿勢になって、その内部における芝草が放出され、この芝草の放出が或る程度まで進行すると、前記キャッチャボックス１４は、前記引っ張りばね２７によって、図１に二点鎖線で示すように、下向きの完全放出姿勢に自動的に回動される。
【００２９】
そして、前記キャッチャボックス１４が、下向きの完全放出姿勢になると、内部の芝草が完全に放出されて空の状態になるとともに、図８に示すように、前記連杆２０の先端における作用点であるところの連結ピン２１が、前記アームリンク２３における長溝孔２４内を、支持軸１５に近づくように移動するから、前記操作レバー１６を下向きに回動操作することにより、前記キャッチャボックス１４は、前記操作レバー１６における単位操作量に対する前記アームリンク２３の回動角度が大きい状態のままで、前向きの受け入れ姿勢に戻すことができる。
【００３０】
前記した実施の形態によると、前記キャッチャボックス１４を操作レバー１６によって受け入れ姿勢と放出姿勢とに姿勢変換する場合に、前記操作レバー１６における単位操作量に対する前記キャッチャボックス１４の回動角度を、自動的に、前記キャッチャボックス１４内に芝草が入っていない状態か少ない状態のときにおいて大きくし、前記キャッチャボックス１４内に芝草が多く入っている状態のときにおいて小さくするものであり、これにより、前記キャッチャボックス１４を、芝草が多く入っている状態のときにおいて、軽い操作力で姿勢変換することができる一方、これが空であるか空に近い状態ときにおいては、これに応じた軽い操作力で姿勢変化することができ、換言すると、前記キャッチャボックス１４の姿勢変換を、そのときに当該キャッチャボックス１４に入っている芝草の有無及び量に応じた軽い操作力で行うことができる。
【図面の簡単な説明】
【００３１】
【図１】走行型芝刈機の側面図である。
【図２】図１の平面図である。
【図３】図２のIII −III 視拡大断面図である。
【図４】図３のIV−IV視拡大平断面図である。
【図５】図３の要部を示す拡大図である。
【図６】図５における第１の作用状態を示す図である。
【図７】図５における第２の作用状態を示す図である。
【図８】図５における第３の作用状態を示す図である。
【図９】図５における第４の作用状態を示す図である。
【符号の説明】
【００３２】
１                走行機体
１ａ              車体フレーム
２                前車輪
３                後車輪
４                エンジン
５                操縦ハンドル
６                操縦座席
１０              ロータリーモア
１３              排出ダクト
１４              キャッチャボックス
１５              支持軸
１６              操作レバー
１７              リンク機構
１８              三角形レバー
２０              連杆
２１              連結ピン
２３              アームリンク
２２，２４        長溝孔
２５              圧縮ばね
２６              支点越えリンク
２７              引っ張りばね
【図１】
2005218381.tif 000003
【図２】
2005218381.tif 000004
【図３】
2005218381.tif 000005
【図４】
2005218381.tif 000006
【図５】
2005218381.tif 000007
【図６】
2005218381.tif 000008
【図７】
2005218381.tif 000009
【図８】
2005218381.tif 000010
【図９】
2005218381.tif 000011